(57)【要約】      （修正有）【課題】部品点数の少ない簡単な構成でありながら、使用位置にて宙吊り状態で傘部分の開閉が容易に行なえ、しかも不使用時には傘部材を例えば隅の方に格納出来るようにした日除け具を提供する。【解決手段】折畳可能な傘部材２と、傘部材を長さ方向一端側に吊下げ状態に支持する支持杆３と、支持杆３を保持するための支柱４とが備えられ、支持杆３は、支柱４に対してその長さ方向一端側が支柱の前方側に張り出す方向に移動可能に支持され、支持杆３の長さ方向他端部側には、傘部材の開閉を行なうための操作部材６が設けられ、この操作部材６と傘部材２の開閉機構とが索状部材で連結され、支柱４が、円筒状の内筒と、この内筒の外周に回転自由に嵌められた円筒状の外筒４３とから構成され、前記外筒に支持杆３が支持されている。【選択図】  図１
2004194934.tif 000002
【特許請求の範囲】
【請求項１】
折畳可能な傘部材と、傘部材を長さ方向一端側に吊下げ状態に支持する支持杆と、支持杆を保持するための支柱とが備えられ、
支持杆は、支柱に対してその長さ方向一端側が支柱の前方側に張り出す方向に移動可能に支持され、支持杆の長さ方向他端部側には、傘部材の開閉を行なうための操作部材が設けられ、この操作部材と傘部材の開閉機構とが索状部材で連結されていることを特徴とするパラソル式日除け具。
【請求項２】
支柱に対する支持杆の移動を規制するための規制部材が設けられていることを特徴とする請求項１に記載のパラソル式日除け具。
【請求項３】
支柱が、円筒状の内筒と、この内筒の外周に回転自由に嵌められた円筒状の外筒とから構成され、前記外筒に支持杆が支持されていることを特徴とする請求項１または２に記載のパラソル式日除け具。
【発明の詳細な説明】
【０００１】
【産業上の利用分野】
本発明は、庭などに設置して用いるパラソル式日除け具に関する。
【０００２】
【従来の技術】
一般にこの種の日除け具は、一本の支柱の上端に複数の親骨が放射状に設けられて、この親骨の上面にシートが張られ、支柱の外周に摺動可能に設けられたリングと親骨との間にそれぞれ支持骨が架設され、支柱に対するリングの昇降により親骨を開閉するようにしている。（特許文献１参照）
【０００３】
【特許文献１】
実開昭５８−１９１８１１号公開公報
【０００４】
【発明が解決しようとする課題】
ところで前述の公開公報に示されている日除け具にあっては、日除け具を開いた時に傘部分の中央に支柱が立設することから、傘の下方を広く利用することが出来ず、換言すれば、支柱が障害となって、傘の中央下方が有効に利用することが出来ない不具合がある。
【０００５】
本発明は以上の実情に鑑みて開発したものであって、目的とするところは、部品点数の少ない簡単な構成でありながら、使用位置にて宙吊り状態で傘部分の開閉が容易に行なえ、しかも不使用時には、傘部材を例えば隅の方に格納出来るようにした日除け具を提供することにある。
【０００６】
【課題を解決するための手段】
以上の目的を達成するため、請求項１記載の発明は、折畳可能な傘部材と、傘部材を長さ方向一端側に吊下げ状態に支持する支持杆と、支持杆を保持するための支柱とが備えられ、支持杆は、支柱に対してその長さ方向一端側が支柱の前方側に張り出す方向に移動可能に支持され、支持杆の長さ方向他端部側には、傘部材の開閉を行なうための操作部材が設けられ、この操作部材と傘部材の開閉機構とが索状部材で連結されていることを特徴とするものである。
【０００７】
請求項２に記載の発明は、請求項１に記載のパラソル式日除け具において、支柱に対する支持杆の移動を規制するための規制部材が設けられていることを特徴とするものである。
【０００８】
請求項３に記載の発明は、請求項１または２に記載のパラソル式日除け具の支柱が、円筒状の内筒と、この内筒の外周に回転自由に嵌められた円筒状の外筒とから構成され、前記外筒に支持杆が支持されていることを特徴とするものである。
【０００９】
【発明の実施の形態】
図１において符号１で示す日除け具は、基本的には、折畳可能な傘部材２と、傘部材２を吊り下げ状態に支持する支持杆３と、支持杆３を保持するための支柱４とから構成されている。
【００１０】
傘部材２は、図６にも示すように、支持筒２１と、この支持筒２１の上端部に揺動可能に支持されて放射状に延びる複数本の親骨２２と、この親骨２２の上面に敷設したシート２３と、各親骨３の長さ方向中間部にその長さ方向一端を揺動自由に支持した支持骨２４と、各支持骨２４の長さ方向他端が枢支されたリング体２５とが備えられ、支持筒２１に対するリング体２５の昇降により、支持骨２４及び親骨２２を介して傘部材２が開閉されるようにしている。
【００１１】
具体的には、リング体２５の上昇により、リング体２５が支持筒２１の下端に当接した段階で傘部材２が全開し、この状態からリング体２５が支持筒２１に対して下降するに伴い、傘部材２が折り畳まれようにしている。
【００１２】
支持杆３は、正面視湾曲状に延びる円筒状の金属製パイプから形成され、その長さ方向一端部には、ユニバーサルジョイント３０を介して傘部材２の支持筒２１の上端部が連結されて、傘部材２が吊下げられている。
【００１３】
支柱４は、平面視十字状に形成されたベース部材４１と、このベース部材４１の中央に立設した円筒状の内筒４２と、この内筒４２に対して回転自由に挿嵌された円筒状の外筒４３とから構成され、外筒４３の上端には保持ブラケット４５が取り付けられている。
【００１４】
そしてこの保持ブラケット４５に設けられた保持筒部４４には、支持杆３がスライド可能に保持されている。
【００１５】
保持筒部４４に対する支持杆３のスライドにより、支持杆３の長さ方向一端側に吊下げた傘部材２が支柱４の前方側に持ち出される使用位置と支柱４に沿う格納位置とに移動可能となっている。
【００１６】
外筒４３の外周にはスライド体５が移動可能に取り付けられ、このスライド体５から斜め上方に向かって突出する突出管５０には、連結杆５１の長さ方向一端が枢支されて、連結杆５１がスライド体５に対して上下方向に揺動自由に連結されている。そして、この連結冠１の長さ方向他端は、支持杆３の長さ方向他端に枢支されている。
【００１７】
また連結杆５１にはロック筒５２がスライド可能に挿嵌されて、このロック筒５２を連結杆５０とスライド体５の突出管５０とに跨って嵌め込むことで、連結杆５１が突出管５０に固定されるようにしている。
【００１８】
スライド体５には、スライドをロックするためのロックハンドル５３が揺動可能に設けられ、ロックハンドル５３の操作により、ロックハンドル５３に設けたカム面（図示せず）が外筒４３に圧接して、スライド体５の外筒４３に対するスライドがロックされるようにしているのであって、以上のロックハンドル５３が、支柱４に対する支持杆３の移動を規制する規制部材としての役割を果たしている。
【００１９】
また支持杆３の長さ方向他端部側には、傘部材２の開閉を行なうための操作部材６が設けられている。
【００２０】
この操作部材６は、ハウジング６１に回転自由に支持した操作ハンドル６２と、ハウジング６１内に回転自由に支持されて、操作ハンドル６２の回転操作に連動する巻取りドラム（図示せず）とが備えられている。
【００２１】
そして索条部材としてロープ７を用い、このロープ７の長さ方向一端部をリング体２５に連結すると共に、このロープ７を支持筒２１内からユニバーサルジョイント３０内及び支持杆３内を通って操作部材６の巻取りドラムに連結し、操作ハンドル６２の正転操作により、ロープ７を巻取りドラムに巻き取ることで、傘部材２を開くようにし、また操作ハンドル６２の逆転操作により、ロープ７を巻取りドラムから外すことで、傘部材２を閉じるようにしている。
【００２２】
また図に示す実施形態では、支柱４を構成する外筒４３の内筒４２に対する回転をロックするためのロック機構として、図８に示すように、内筒４２にねじ軸４６を突設して、このねじ軸４６を、外筒４３に形成した長孔４７を介して外筒４３の外方に突出させると共に、ねじ軸４６の遊端部にロックノブ４８を螺合して、このロックノブ４８の螺締操作により、ノブ４８のボス部４９を外筒４３の外面に圧接させることで、内筒４２に対する外筒４３の回転を阻止するようにしている。
【００２３】
以上の構成からなる日除け具にあっては、図２に示すように、支持杆３の長さ方向一端側を支柱４に対して前方側に突出させて、傘部材２を支柱４から離間させた状態にセットする。
【００２４】
そして、操作部材６の操作ハンドル６２を正転操作して、ロープ７を操作部材６の巻取りドラムに巻き取れば、図１に示すように、傘部材２が宙吊り状態で開き、傘部材２の下方空間を有効に利用することが出来る。
【００２５】
またロック機構を構成するロックノブ４８を緩めて、内筒４２に対する外筒４３を内筒４２に対して回転させれば、傘部材２が支柱４を支点として旋回して、傘部材２のセット位置を自由に変更することが出来る。
【００２６】
一方、傘部材２を使用しない時には、操作部材６の操作ハンドル６２を逆転操作して、操作部材６の巻取りドラムに巻き取られていたロープ７をドラムから引き出すと、図７に示すように、リング部材２５が傘部材２の支持筒２１に対して下降して行き、最終的には、図２に示すように傘部材２が閉じるのである。
【００２７】
そして、更にロックハンドル５３を操作して、スライド体５を外筒４３に対してスライド自由とすると共に、連結杆５０とスライド体５の突出管５０とに跨って嵌め込まれているロック筒５２を、連結杆５０側にスライドさせて突出管５０から離脱させた上で、、支持杆３を保持ブラケット４５の保持筒部４４に対して下方に向けてスライドさせるのであって、これに伴い、閉じている傘部材２が図３に示すように、支柱４に沿う位置に格納されるのである。
【００２８】
尚、所定の格納位置まで来た段階で、再度ロックハンドル５３を操作して、スライド体５を外筒４３に対してスライド不能としておけば、傘部材２が図３に示す状態に維持されるのである。
【００２９】
【発明の効果】
以上のごとく請求項１に記載の発明によれば、折畳可能な傘部材と、傘部材を長さ方向一端側に吊下げ状態に支持する支持杆と、支持杆を保持するための支柱とが備えられ、支持杆は、支柱に対してその長さ方向一端側が支柱の前方側に張り出す方向に移動可能に支持され、支持杆の長さ方向他端部側には、傘部材の開閉を行なうための操作部材が設けられ、この操作部材と傘部材の開閉機構とが索状部材で連結されていることにより、支柱に対する支持杆のスライドにより、支持杆の長さ方向一端部に吊下げている傘部材を支柱から離れた使用位置と支柱に沿う格納位置とに位置変更させることが出来、しかも支柱から離れた使用位置にて、開閉機構を介して傘部材を広げることで、傘部材の下方空間を有効に利用することが出来る。
【００３０】
請求項２に記載の発明によれば、請求項１に記載のパラソル式日除け具において、支柱に対する支持杆の移動を規制するための規制部材を設けたことにより、請求項１に記載の発明の効果に加え、傘部材を使用位置または格納位置に確実にセットすることが出来る。
【００３１】
請求項３に記載の発明によれば、請求項１または２に記載のパラソル式日除け具の支柱を、円筒状の内筒と、この内筒の外周に回転自由に嵌められた円筒状の外筒とから構成して、前記外筒に支持杆を支持したことにより、請求項１または２に記載の発明の効果に加え、傘部材を支柱を支点にして旋回させて、所望の位置に持って行くことが出来る。
【図面の簡単な説明】
【図１】本発明にかかる日除け具の正面図。
【図２】傘部材を閉じた状態にした日除け具の正面図。
【図３】閉じた傘部材を退避させた状態にした日除け具の正面図。
【図４】日除け具の要部の拡大斜視図。
【図５】日除け具の要部の拡大斜視図。
【図６】傘部材が全開した状態の斜視図。
【図７】傘部材が閉じる途中の斜視図。
【図８】要部の拡大断面図。
【符号の説明】
１      日除け具
２      傘部材
３      支持杆
４      支柱
４２    内筒
４３    外筒
５      スライド体
６      操作部材
７      ロープ（索状部材）
【図１】
2004194934.tif 000003
【図２】
2004194934.tif 000004
【図３】
2004194934.tif 000005
【図４】
2004194934.tif 000006
【図５】
2004194934.tif 000007
【図６】
2004194934.tif 000008
【図７】
2004194934.tif 000009
【図８】
2004194934.tif 000010